(57)【要約】      （修正有）【課題】一般道路や高速道路などに設置されているガードレールの支持柱の周囲に繁茂する雑草の発育を防止したり、草刈機で除草作業をするときに安全に又効率よくできることを目的とした雑草繁茂防止板を提供する。【解決手段】半円状のブロックの平らな二枚のブロック板で、支柱又は主柱に密着するように、支柱又は主柱の周りを囲み、雑草繁茂を防止する繁茂防止板であり、しかも、その二枚の半円状のブロック板は、各々に凹状溝及び凸状の突起を有し、２枚が離別しないように、遊嵌することを特徴とする。【選択図】図１
0003147160.tif 000002
【実用新案登録請求の範囲】
【請求項１】
ガードレール支持柱3の周囲に、セメントブロックで作成した半円状のブロック100及び半円状のブロック200を2枚敷き詰め、ガードレール支持柱3の周りをドーナツ状の円形ブロックを形成することを特徴とする雑草繁茂防止板。
【請求項２】
半円状のブロック100及び半円状のブロック200は、雑草の繁殖力によって、押し
上げられたり、移動したりしないように、半円状のブロック100及び半円状のブロック200には、それぞれ凹凸状の嵌込溝2、嵌込凸部1を設けていることを特徴とする請求項1の雑草繁茂防止板。
【考案の詳細な説明】
【技術分野】
【０００１】
本考案は、一般や高速道路などに設置されているガードレールの支持柱の周囲に繁茂する雑草の発育を防止したり、草刈機で除草作業をするときに安全に又効率よくできることを目的に、考案された雑草繁茂防止板に関するものである。
【背景技術】
【０００２】
従来は、ガードレールを支持している支持柱の周囲には、 雑草が多く繁茂してい
た。そのため、支持柱の周囲には、除草剤を撒いたりして、雑草の生育を抑えたり、
又は支持柱を埋設するときには、周囲にモルタルセメントなどを流し込んで、雑草
の繁茂抑止していた。
【０００３】
また、近年は、円形ドーナツ状の平らな一枚の板で作製された雑草繁茂防止板なども知られている。(特願平１０−２９２３４１)
【特許文献１】特願平１０−２９２３４１号
【考案の開示】
【考案が解決しようとする課題】
【０００４】
ガードレールの支持柱の周囲に繁茂する雑草の発育を防止し、草刈機で除草作業をするときに安全に又効率よく除草作業ができることを目的とするものである。
【課題を解決するための手段】
【０００５】
ガードレール支持柱の周囲に、セメントブロックで作成した半円状のブロックを2
枚敷き詰め、ガードレール支持柱の周りをドーナツ状の円形ブロックを形成することを特徴とする。
【０００６】
その半円状のブロックは、雑草の繁殖力によって、押し上げられたり、移動したりしないように、半円状のブロックには、それぞれ凹凸状の嵌込溝、嵌込凸部を設けていることを特徴とする。
【考案の効果】
【０００７】
半円状のブロック100及び半円状のブロック200の2枚をガードレールの支持柱3の周囲に敷設することにより、ガードレールの支持柱3の周囲の日光が遮断され、雑草の育成を抑える効果がある。
【０００８】
ドーナッツ状のセメントブロック100及びドーナッツ状のセメントブロック200の
2枚をガードレールの支持柱3の周囲に敷設することにより、草刈機で柱を傷つける
ことなく除草作業が行うことができ人的作業の軽減と道路の維持管理を安全かつ効
率よく行える。
【０００９】
半円状のブロック100及び半円状のブロック100200をセメントブロックで作成
することにより、重量が重くなり、雑草が生えにくくなる。
【００１０】
また、半円状のブロック100及び半円状のブロック200を2枚繋ぎ合わせることに
より、敷設作業が容易にできる。
【００１１】
さらに、その半円状のブロック100及び半円状のブロック200を繋ぎ合わせるとき
に、それぞれ凹状の嵌込溝2と嵌込凸部1を系合するため、2枚の半円状のブロック
はずれることが少ない。
【考案を実施するための最良の形態】
【００１２】
薄いベニヤ板を図２・３の形に作り、セメントを流し込む。
以下、この発明の実施の形態を図面に基づいて説明する。
【実施例１】
【００１３】
まず、本考案の型枠について説明する。
図１のように、本考案の雑草繁茂防止版は、2枚の半円状のブロック２００・３００からなっている。
図２，図３は、その２枚の半円状のブロックである。
【００１４】
図４は、図２の→方向から見た側面図であり、図５は、図３の→方向から見た側
面図である。
【００１５】
図６は、図２の底面図であり、図７は図３の底面図である。
【００１６】
図８は、図６のＣ−Ｃ’断面図であり、図９は、図７のＤ−Ｄ’断面図である。
図８の嵌込凸部１が図９の凹状の嵌込溝２に係合するように型枠を作成する。
【実施例２】
【００１７】
次に、骨材について説明する。
本ブロック板は、ガードレールの支柱の周囲に敷設するブロックであり、骨材を
セメントで固めた半円状を呈している。ここで、骨材は比較的小さな砂利と砂からなっている。
特に、図８に示す嵌込凸部１や図９に示す凹状の嵌込溝２は、部位が細かいため、
小さな砂利と砂を使用するがいい。
【００１８】
また、型枠は、図６及び図７に示す底面を下方にして骨材を投入する方法が最良
である。
【００１９】
本考案のブロックは、骨材、セメント、水を計量混練し、前述した型枠に投入後、
バイブレーションを掛け、骨材を型枠に満遍なく充満させる。
【００２０】
脱型後養成して固化させることによってブロックは強度が発現する。
【００２１】
上記の方法で、本考案のブロック板の製造方法及びこの方法により製造される本
考案のブロック板を提供することができる。
【実施例３】
【００２２】
図１０は、こうして製造された本考案のブロック板をガードレールの支柱の周り
に敷設した斜視図であるが、この場合、図９に示す半円状ブロック２００を最初に
敷設し、その後、図８に示す嵌込凸部１を図９に示す凹状の嵌込溝２に係合するよ
うに敷設する。このことによって、２枚のブロックがずれることが少なくなる。
【実施例４】
【００２３】
なお、本雑草繁茂防止板は、セメントブロックだけの製品に限ったことではなく、
鋳物や合成樹脂、又は、下水道の廃棄物スラッヂなどからなる材料で製作できるこ
とは、言うまでもない。
【図面の簡単な説明】
【００２４】
【図１】本考案のブロックの平面図
【図２】本考案の1/2のブロック(100)の平面図
【図３】本考案の1/2のブロック(200)の平面図
【図４】本考案の1/2のブロック(100)の側面図(A→)
【図５】本考案の1/2のブロック(200)側面図(B→)
【図６】本考案の1/2のブロック(100)の底面図
【図７】本考案の1/2のブロック(200)の底面図
【図８】本考案の1/2のブロック(100)の断面図(C−C’)
【図９】本考案の1/2ブロック(200)の断面図(D−D’)
【図１０】本考案の斜視図
【符号の説明】
【００２５】
１嵌込凸部
２凹状の嵌込溝
３ガードレールの支持柱
１００．本考案の1/2ブロック
２００．本考案の1/2ブロック
【図１】
0003147160.tif 000003
【図２】
0003147160.tif 000004
【図３】
0003147160.tif 000005
【図４】
0003147160.tif 000006
【図５】
0003147160.tif 000007
【図６】
0003147160.tif 000008
【図７】
0003147160.tif 000009
【図８】
0003147160.tif 000010
【図９】
0003147160.tif 000011
【図１０】
0003147160.tif 000012